(57)【要約】      （修正有）【課題】片手が塞がっている状況でも財布からカードやお金の取り出しを簡単にする財布ホルダーを提供する。【解決手段】財布ホルダー１は、略直方体の財布ホルダー本体３と、両側面に備えた板バネ４と、財布２を挿入する財布挿入口６、財布２を置いた前後に、ジッパー５を掴むための空間である指挿入口８からなる。板バネ４の長さは、財布ホルダー本体３の長辺より短めであり、板バネ４を、財布ホルダー本体３の中央付近に配置することで、財布ホルダー本体３と、財布挿入口６に間に（前後の２カ所）に指でジッパー５をつまんで、ジッパー５を引き上げるための空間である指挿入空間８を備える。【選択図】図１
0003189512.tif 000002
【実用新案登録請求の範囲】
【請求項１】
略直方体の財布ホルダー本体３と、その両側面に付けられ、財布２を挟むようにした板バネ４と、両側面の板バネ４の間に、財布２を挿入する財布挿入口６からなることを特徴とする財布ホルダー。
【請求項２】
板バネ４は、略直方体の財布ホルダー本体３の両側面の上辺近辺から、下方向に、円弧状に丸みをもたせることにより、財布を挿入し易くし、傷がつきにくくしたことを特徴とする請求項１記載の財布ホルダー。
【請求項３】
板バネ４の長さは、財布ホルダー本体３の長辺より短めであり、板バネ４を、財布ホルダー本体３の中央付近に配置することで、財布ホルダー本体３と、財布挿入口６に間に指でジッパー５をつまんで、ジッパー５を引き上げるための空間である指挿入空間８を備えることを特徴とする請求項１から３の何れかに記載の財布ホルダー。
【請求項４】
財布ホルダー本体３の両側面の下部には、丸みをもたせた板バネ４の先端部を差し込むための板バネ溝１１を備え、財布を入れたときに、両側の板バネ４が（Ｂ）方向に狭まり、財布挿入口６が拡がり、板バネ４は（Ｂ）方向に狭まった分、板バネ４の先端部が（Ｃ）方向に下がり、板バネ溝１１に、より深く差し込まれ、財布２を抜くと、両側の板バネ４が（Ｂ）方向と逆に移動し、財布挿入口６が狭まり、板バネ４が（Ｂ）方向と逆方向に拡がった分、板バネ４の先端が（Ｃ）方向と逆方向に上がり、板バネ溝１１に差し込まれる量が少なくなるようにしたことを特徴とする請求項２記載の財布ホルダー。
【請求項５】
両側の板バネ４の（Ｐ）地点の高さを変えるか、または両側の板バネ４の強さを変える事で、（Ｐ）地点の高さの低い側または、強さの弱い側に傾いた状態で財布２を固定できるようにしたことを特徴とする請求項１記載の財布ホルダー。
【考案の詳細な説明】
【技術分野】
【０００１】
本考察は、財布を片手で使えるようにする財布ホルダー。
【背景技術】
【０００２】
従来は、動物病院で、小型犬を抱きながらお金を支払いや、小さいお子さんを抱きながらお金の支払いをする時に、片手だけでお金の支払をしなくては、いけない場合において、財布からカードやお金を取り出し支払いするが、難しかった。
【考案の概要】
【考案が解決しようとする課題】
【０００３】
片手が塞がっている状況でも財布からカードやお金の取り出しを簡単にすることを目的とする。
【課題を解決するための手段】
【０００４】
略直方体の財布ホルダー本体３と、その両側面に付けられ、財布２を挟むようにした板バネ４と、両側面の板バネ４の間に、財布２を挿入する財布挿入口６からなることを特徴とする財布ホルダー。
【０００５】
板バネ４は、略直方体の財布ホルダー本体３の両側面の上辺近辺から、下方向に、円弧状に丸みをもたせることにより、挿入した財布に傷がつきにくくしたことを特徴とする財布ホルダー。
【０００６】
板バネ４の長さは、財布ホルダー本体３の長辺より短めであり、板バネ４を、財布ホルダー本体３の中央付近に配置することで、財布ホルダー本体３と、財布挿入口６に間に指でジッパー５をつまんで、ジッパー５を引き上げるための空間である指挿入空間８を備えることを特徴とする財布ホルダー。
【０００７】
財布ホルダー本体３の両側面の下部には、丸みをもたせた板バネ４の先端部を差し込むための板バネ溝１１を備える。板バネ溝１１は、財布ホルダー本体３の側面の下部に細長い帯状部を備え、この帯状部と財布ホルダー本体３の側面の間の、板バネの先端が挿入できる隙間である。
財布を入れたときに、両側の板バネ４が（Ｂ）方向に狭まり、財布挿入口６が拡がり、板バネ４は（Ｂ）方向に狭まった分、板バネ４の先端部が（Ｃ）方向に下がり、板バネ溝１１に、より深く差し込まれ、財布２を抜くと、両側の板バネ４が（Ｂ）方向と逆に移動し、財布挿入口６が狭まり、板バネ４が（Ｂ）方向と逆方向に拡がった分、板バネ４の先端が（Ｃ）方向と逆方向に上がり、板バネ溝１１に差し込まれる量が少なくなるようにしたことを特徴とする財布ホルダー。
【０００８】
両側の板バネ４の（Ｐ）地点の高さを変えるか、または両側の板バネ４の強さを変える事で、（Ｐ）地点の高さの低い側または、強さの弱い側に傾いた状態で財布２を固定できるようにしたことを特徴とする財布ホルダー。
【考案の効果】
【０００９】
片手しか使えない状況でも簡単に財布からお金を取り出すことができる。
【図面の簡単な説明】
【００１０】
【図１】本考案の財布ホルダーの構成図        （ａ）外観図  （ｂ）Ｓ−Ｓ断面図
【図２】本考案の財布ホルダーの使用図          （ジッパーをつまんで引き上げるところ）
【図３】本考案の財布ホルダーの動物病院での使用イメージ図
【考案を実施するための形態】
【００１１】
以下、図面に記載の考案の実施の形態に基づいて、この考案をより具体的に説明する。
【００１２】
図１は、本考案の財布ホルダーの構成図、（ａ）は外観図、（ｂ）はＳ−Ｓ断面図である。
【００１３】
財布ホルダー１は、略直方体の財布ホルダー本体３と、両側面に備えた板バネ４と、財布２を挿入する財布挿入口６、財布２を置いた前後に、ジッパー５を掴むための空間である指挿入口８からなる。
からなる。
【００１４】
板バネ４は、略直方体の財布ホルダー本体３の両側面の上辺近辺から、下方向に、円弧状に設け、その板バネ４の間に、財布３を挿入する空間となる財布挿入口６を備える。
【００１５】
板バネ４の長さは、財布ホルダー本体３の長辺より短めであり、板バネ４を、財布ホルダー本体３の中央付近に配置することで、財布ホルダー本体３と、財布挿入口６に間に（前後の２カ所）に指でジッパー５をつまんで、ジッパー５を引き上げるための空間である指挿入空間８を備える。
【００１６】
財布ホルダー本体３の両側面の下部には、板バネ４の先端部を差し込むための板バネ溝１１を備え、財布２を入れたときに、両側の板バネ４が（Ｂ）方向に狭まり、財布挿入口６が拡がる。また、板バネ４は（Ｂ）方向に狭まった分、板バネ４の先端部が（Ｃ）方向に下がり、板バネ溝１１に、より深く差し込まれ、財布２を抜くと、両側の板バネ４が（Ｂ）方向と逆に移動し、財布挿入口６が狭まり、板バネ４が（Ｂ）方向と逆方向に拡がった分、板バネ４の先端が（Ｃ）方向と逆方向に上がり、板バネ溝１１に差し込まれる量が少なくなる。
【００１７】
板バネは４、財布２を引き上げたときに引っかからないように、財布２と接触する部分の近辺（Ｐ）は丸みをもつようにしている。
【００１８】
両側の板バネ４の（Ｐ）地点の高さを変える、または両側の板バネ４の強さを変える事で、（Ｐ）地点の高さの低い側または、強さの弱い側に傾いた状態で財布２を固定できるようにしてもよい。
【００１９】
図３は、本考案の財布ホルダーの動物病院での使用イメージ図である。
図３に示すように、動物病院の受付窓口にお金１０を支払うときの場合について使用例について説明する。
動物を抱いた、お客様が窓口に来られると、片手７で、財布２を取り出し、窓口に置かれた財布ホルダー１の、板バネ４の間の財布挿入口６に、上から、置く。財布２は、板バネ４に挟まって固定される。
【００２０】
図２は、本考案の財布ホルダーの使用図（ジッパーをつまんで引き上げるところ）である。
この状態で、図２に示すように、片手で、指挿入空間６に指をいれて、ジッパー５を摘まんで引き上げて、財布２を（Ａ）方向に開き、片手７でお金１０を取り出し、支払いをすませる。
【００２１】
支払いを済ますと、ジッパー５を摘まんで、指挿入空間８まで、ジッパー５を締めて、片手７で、財布２をつかんで上に引き上げて、取り出す。
【符号の説明】
【００２２】
１    財布ホルダー
２    財布
３    財布ホルダー本体
４    板バネ
５    ジッパー
６    財布挿入口
７    片手
８    指挿入空間
１０  お金
１１  板バネ溝
Ａ    財布が開く方向
Ｂ    板バネの狭くなる方向
Ｃ    板バネの先端が沈む方向
Ｐ    財布との接触点
【図１】
0003189512.tif 000003
【図２】
0003189512.tif 000004
【図３】
0003189512.tif 000005
【手続補正書】
【提出日】平成25年12月26日(2013.12.26)
【手続補正１】
【補正対象書類名】実用新案登録請求の範囲
【補正対象項目名】全文
【補正方法】変更
【補正の内容】
【実用新案登録請求の範囲】
【請求項１】
略直方体の財布ホルダー本体（3）と、その両側面に付けられ、財布（2）を挟むようにした板バネ（4）と、両側面の板バネ（4）の間に、財布（2）を挿入する財布挿入口（6）からなることを特徴とする財布ホルダー。
【請求項２】
板バネ（4）は、略直方体の財布ホルダー本体（3）の両側面の上辺近辺から、下方向に、円弧状に丸みをもたせることにより、財布を挿入し易くし、傷がつきにくくしたことを特徴とする請求項1記載の財布ホルダー。
【請求項３】
板バネ（4）の長さは、財布ホルダー本体（3）の長辺より短めであり、板バネ（4）を、財布ホルダー本体（3）の中央付近に配置することで、財布ホルダー本体（3）と、財布挿入口（6）に間に指で ジッパー（5）をつまんで、ジッパー（5）を引き上げるための空間である指挿入空間（8）を備えることを特徴とする請求項1又は２に記載の財布ホルダー。
【請求項４】
財布ホルダー本体（3）の両側面の下部には、丸みをもたせた板バネ（4）の先端部を差し込むための板バネ溝（11）を備え、財布を入れたときに、両側の板バネ（4）が財布ホルダーの側面方向（B方向）に狭まり、 財布挿入口（6）が拡がり、板バネ（4）は財布ホルダーの側面方向（B方向） に狭まった分、板バネ（4）の先端部が財布ホルダー底の方向（C 方向）に下がり、板バネ溝（11）に、より深く差し込まれ、財布（2）を抜くと、両側の板バネ（4） が財布ホルダーの側面方向（B方向）と逆に移動し、財布挿入口（6）が狭まり、板バネ（4）が財布ホルダーの側面方向（B方向） と逆方向に拡がった分、板バネ（4）の先端が財布ホルダー底の方向（C 方向）と逆方向に上がり、板バネ溝（11）に差し込まれる 量が少なくなるようにしたことを特徴とする請求項2記載の財布ホルダー。 
【請求項５】
両側の板バネ（４）の両側の板バネ（４）の、挿入した財布に接触する地点（P地点）の高さを変えるか、または両側の板バネ（4）の強さを変える事 で、両側の板バネ（４）の、挿入した財布に接触する地点（P地点）の高さの低い側または、強さの弱い側に傾いた状態で財布（2）を固定できる ようにしたことを特徴とする請求項1記載の財布ホルダー。